(57)【要約】【課題】  階段に固定される手摺りのハンドレールと、手摺りに面する壁面から手摺り側へ突出する突起物と、の交差部に形成される隙間を閉塞し、意匠性及びメンテナンス性に優れた階段の指詰め防止構造を提供することを目的とする。【解決手段】  階段の指詰め防止構造１は、階段３に固定される手摺り４のハンドレール４１と、手摺り４に面する壁面Ｗ１から手摺り４側へ突出する床見切り材Ｆ１と、の交差部に形成される隙間を木製の閉塞部材５で閉塞する構造であって、閉塞部材５は、階段３側の側面５１に、ハンドレール４１の側方からハンドレール４１を嵌め込むための座掘溝５２を有している。【選択図】図１
2020023810.tif 000002
【特許請求の範囲】
【請求項１】
階段に固定される手摺りのハンドレールと、前記手摺りに面する壁面から前記手摺り側へ突出する突起物と、の交差部に形成される隙間を木製の閉塞部材で閉塞する階段の指詰め防止構造であって、
前記閉塞部材は、前記階段側の側面に、前記ハンドレールの側方に嵌め込むための座掘溝を有することを特徴とする階段の指詰め防止構造。
【請求項２】
前記閉塞部材は、水平方向へ延びる細長な棒状部材であり、前記階段の昇り口側の端面を階段勾配に対して直角又は前記階段の昇り口側から見て階段勾配に対し鈍角に形成されることを特徴とする請求項１に記載の階段の指詰め防止構造。
【請求項３】
前記閉塞部材は、長手方向の両端部を前記突起物側へ向けて面取りされることを特徴とする請求項２に記載の階段の指詰め防止構造。
【請求項４】
前記座掘溝は、階段勾配に沿って斜め方向に延びることを特徴とする請求項１から請求項３のいずれかに記載の階段の指詰め防止構造。
【請求項５】
前記階段は、建物の上下階を連通する吹抜け開口に設置され、
前記突起物は、上階の床仕上げ材と前記吹抜け開口との境界に設けられる床見切り材であり、
前記床見切り材は、前記閉塞部材と同一材料であることを特徴とする請求項１から請求項４のいずれかに記載の階段の指詰め防止構造。
【請求項６】
建物の上下階を連通する吹抜け開口に設置された階段に固定される手摺りのハンドレールと、前記吹抜け開口に面する壁面から前記手摺り側へ突出する突起物と、の間の隙間を閉塞部材で塞ぐ階段の指詰め防止構造施工方法であって、
前記手摺りの手摺子を前記階段に固定し、
前記閉塞部材の設置位置を墨出した前記ハンドレールの側方に合わせて前記座堀溝を嵌め込み、前記閉塞部材を当該ハンドレールに固定して、
前記ハンドレールを支持するレール下地材を前記手摺子に固定してから前記閉塞部材を前記突起物にビス固定することを特徴とする階段の指詰め防止構造施工方法。
【発明の詳細な説明】
【技術分野】
【０００１】
本発明は、階段に固定される手摺りのハンドレールと、手摺りに面する壁面から手摺り側へ突出する突起物と、の交差部に形成される隙間を閉塞する階段の指詰め防止構造に関する。
【背景技術】
【０００２】
人の通過動線状に設けられる手摺りの周囲には、手摺りのハンドレールを把持する手摺り使用者の手指が他の建築部材に当たらないよう、ハンドレールと、手摺りの外側に位置する建築部材と、の間に保護板が設置されることがある（特許文献１）。また、ハンドレールを支持する手摺りの手摺子と、手摺子の下端部を支持し、階段勾配に沿って延びる手摺りの下桟と、の間の隙間を閉塞して階段使用者の手指が当該隙間に挟まれることを防止する発明が提案されている（特許文献２）。
【先行技術文献】
【特許文献】
【０００３】
【特許文献１】特開２００７−３２１１１
【特許文献２】特開２００１−２２７１２５
【発明の概要】
【発明が解決しようとする課題】
【０００４】
ところで建物内部に上下階を繋ぐ階段を設置する場合、階段の設置位置には上階の床が設けられず、上下階を連通する吹抜け開口が形成される。このとき、上階の床仕上げ材と吹抜け開口との境界には床見切り材が設置されるが、通常床見切り材は、上階の床の吹抜け開口に面する側面よりも階段側に突出するので、階段の手摺りのハンドレールと、床見切り材のハンドレールに交差する部分との間の隙間は狭くなり、階段利用者の手指がこの隙間に挟まれる危険性がある。従来、このような隙間はクッション性を有するスポンジ状の部材などで閉塞されるが、これらの部材は経年劣化しやすく、また、手摺りや床見切り材と摩擦して音鳴りを発生させることが問題であった。そして、このようなスポンジ状部材は、手摺りや床見切り材と意匠性を合せる事が難しく、違和感なく階段や床見切り材に馴染ませることが困難であった。
【０００５】
そこで、本発明は、上述した課題を鑑みてなされたものであって、階段に固定される手摺りのハンドレールと、手摺りに面する壁面から手摺り側へ突出する突起物と、の交差部に形成される隙間を閉塞し、意匠性及びメンテナンス性に優れた階段の指詰め防止構造を提供することを目的とする。
【課題を解決するための手段】
【０００６】
本発明の第１の階段の指詰め防止構造は、階段に固定される手摺りのハンドレールと、前記手摺りに面する壁面から前記手摺り側へ突出する突起物と、の交差部に形成される隙間を木製の閉塞部材で閉塞する階段の指詰め防止構造であって、前記閉塞部材は、前記階段側の側面に、前記ハンドレールの側方に嵌め込むための座掘溝を有することを特徴としている。
【０００７】
本発明の第２の階段の指詰め防止構造は、前記閉塞部材が、水平方向へ延びる細長な棒状部材であり、階段の昇り口側の端面を階段勾配に対して直角又は前記階段の昇り口側から見て階段勾配に対し鈍角に形成されることを特徴としている。
【０００８】
本発明の第３の階段の指詰め防止構造は、前記閉塞部材が、長手方向の両端部を前記突起物側へ向けて面取りされることを特徴としている。
【０００９】
本発明の第４の階段の指詰め防止構造は、前記座掘溝が、階段勾配に沿って斜め方向に延びることを特徴としている。
【００１０】
本発明の第５の階段の指詰め防止構造は、前記階段が、建物の上下階を連通する吹抜け開口に設置され、前記突起物が、上階の床仕上げ材と前記吹抜け開口との境界に設けられる床見切り材であり、前記床見切り材は、前記閉塞部材と同一材料であることを特徴としている。
【００１１】
本発明の階段の指詰め防止構造施工方法は、第１から第５に記載の階段の指詰め防止構造を用いて、建物の上下階を連通する吹抜け開口に設置された階段に固定される手摺りのハンドレールと、前記吹抜け開口に面する壁面から前記手摺り側へ突出する突起物と、の間の隙間を閉塞部材で塞ぐ階段の指詰め防止構造施工方法であって、前記手摺りの手摺子を前記階段に固定し、前記閉塞部材の設置位置を墨出した前記ハンドレールの側方に合わせて前記座堀溝を嵌め込み、前記閉塞部材を当該ハンドレールに固定して、前記ハンドレールを支持するレール下地材を前記手摺子に固定してから前記閉塞部材を前記突起物にビス固定することを特徴としている。
【発明の効果】
【００１２】
本発明の第１の階段の指詰め防止構造によると、階段の手摺りのハンドレールと手摺りに面する壁面から手摺り側へ突出する突起物と、の交差部に形成される隙間を閉塞部材で閉塞するので、壁面から上階の床の床見切り材や装飾などが突出していたとしても、階段利用者は前記隙間に手指を挟むことなく安心して階段を利用することができる。また、閉塞部材は木製であるため経年劣化によって痩せにくく、ハンドレールと突起物との間の隙間を安定的に閉塞することができる。そして、閉塞部材の階段側の側面には、ハンドレールの側方に嵌め込むための座掘溝を有しているので、閉塞部材をハンドレールに容易に設置することができ、施工性を向上させることができる。
【００１３】
本発明の第２の階段の指詰め防止構造によると、閉塞部材の階段の昇り口側の端面は、階段勾配に対して直角又は階段の昇り口側から見て階段勾配に対して鈍角に形成されているので、ハンドレールを握りながら階段を上がる利用者は、手が閉塞部材に触れても閉塞部材の角が手指に当たって怪我をすることを防止することができる。
【００１４】
本発明の第３の階段の指詰め防止構造によると、閉塞部材は、長手方向の両端部を突起物側へ向けて面取りされるので、面取りをしない場合と比較して長手方向の端部が目立たず、閉塞部材を違和感なく突起物に馴染ませることができる。
【００１５】
本発明の第４の階段の指詰め防止構造によると、座掘溝は、階段勾配に沿って斜め方向に延びているので、閉塞部材のハンドレールへの取り付け位置をスライドさせて自由に変更することができ、施工性を向上させることができる。
【００１６】
本発明の第５の階段の指詰め防止構造によると、突起物は上階の床仕上げ材と吹抜け開口との境界に設けられる床見切り材であるので、階段利用者がハンドレールと床見切り材との間の隙間に手指を挟んで怪我することを防止することができる。また、床見切り材は閉塞部材と同一の木質材料で形成されるため、互いの樹種や色味を合わせれば階段や床見切り材の意匠性を損なうことなく閉塞部材を設置することができる。
【００１７】
本発明の階段の指詰め防止構造施工方法によると、閉塞部材をハンドレールに固定してからハンドレールを支持するレール下地材を手摺子に固定するので、容易にハンドレールと手摺子との間の隙間を閉塞部材で塞ぐことができ、施工性を向上させることができる。また、ハンドレールと手摺子は別部材となっているので、ハンドレールを支持するレール下地材を外すだけで閉塞部材を新たなものに取り替えたり閉塞部材を新たに設置したりすることができ、メンテナンス性を向上させることができる。
【図面の簡単な説明】
【００１８】
【図１】階段の正面図。
【図２】階段の平面図。
【図３】図２のＢ−Ｂ線断面図。
【図４】（ａ）は閉塞部材の正面図を示し、（ｂ）は閉塞部材の平面図を示し、（ｃ）は閉塞部材の側面図を示す。
【図５】図１のＡ部分拡大図。
【図６】図２のＣ部分拡大図。
【図７】図３のＤ部分拡大図。
【図８】手摺子を床見切り材に固定し、閉塞部材をハンドレールに固定する様子を示す斜視図。
【図９】ハンドレール部を手摺子に固定し、閉塞部材を床見切り材に固定する様子を示す斜視図。
【発明を実施するための形態】
【００１９】
以下、本発明に係る階段の指詰め防止構造の最良の実施形態について各図を参照しつつ説明する。本発明の階段の指詰め防止構造１は、図１から図３に示すように、建物の上下階を連通する吹抜け開口２に設置された階段３に固定される手摺り４のハンドレール４１と、手摺り４に面する第１壁面Ｗ１から手摺り４側へ突出する上階の床Ｆの床見切り材Ｆ１と、の交差部に形成される隙間を閉塞部材５で閉塞して指詰めを防止するためのものである。
【００２０】
図１に示すように、吹抜け開口２は、上階の床Ｆが設けられておらず、上下階を連通している。この吹抜け開口２に設置される階段３は、複数の踏み板３１の一端部側にのみ手摺り４を設置される直階段で、踏み板３１の他端部側には壁体Ｗが設けられている。上階の床Ｆは、床仕上げ材Ｆ２と吹抜け開口２との境界に設置される床見切り材Ｆ１と、床仕上げ材Ｆ２と、床見切り材Ｆ１及び床仕上げ材Ｆ２を支持する床構造体Ｆ３と、を具備しており、床構造体Ｆ３の側面である第１壁面Ｗ１は、吹抜け開口２に面している。そして図５によく示されるように、第１壁面Ｗ１は、手摺り４のハンドレール４１と離隔しており、第１壁面Ｗ１からハンドレール４１の床構造体Ｆ側の側端までの距離である第１距離Ｌ１は、３０ｍｍ〜４５ｍｍ程度である。このような距離であれば、階段利用者がハンドレール４１を把持しても手指が第１壁面Ｗ１に当たることはなく、快適に階段を昇降することができる。なお、図示例では上階の床Ｆが手摺り４の外側に配置されているが、上階の床Ｆに代わって下階の床から上階の床まで延設される壁体を配置してもよい。また、図１等では上階の床Ｆ側のみに手摺り４を設置しているが、壁体Ｗ側に手すりを設置してもよい。
【００２１】
床見切り材Ｆ１は木質材料で形成された部材で、図５に示すように、第１壁面Ｗ１よりも階段３側へ突出しており、床見切り材Ｆ１とハンドレール４１との交差部において、床見切り材Ｆ１の階段３側の側端からハンドレール４１の床構造体Ｆ側の側端までの距離である第２距離Ｌ２は、８ｍｍ〜２０ｍｍ程度である。したがって、床見切り材Ｆ１とハンドレール４１との交差部の隙間をそのままにしておくと、階段利用者がハンドレール４１を把持する際に手指をこの隙間に挟み込む危険性がある。
【００２２】
図３に示すように、階段３に設置される手摺り４は、把持されるハンドレール部４ａと、ハンドレール部４ａを支持し、一定間隔を空けながら階段３の踏み板３１に立設する手摺子４ｂと、手摺子４ｂ同士の間を塞ぐ面材４ｃと、を備えており、床見切り材Ｆ１の上部に設置される手摺り６と連結している。
【００２３】
ハンドレール部４ａは、図３及び図７に示すように、把持されるハンドレール４１と、手摺子４ｂの上端部に固定され、ハンドレール４１に被覆されるレール下地材４２と、から構成されており、レール下地材４２は、階段勾配に沿って傾斜し、ハンドレール４１に被覆される傾斜部４２ａと、傾斜部４２ａの下端から下方へ突出する差複数の込棒４２ｂと、を有している。傾斜部４２ａを被覆するハンドレール４１は断面視略円形で形成され（図示しない）、その直径は３５〜４０ｍｍ程度とすることが好ましい。このような形状であれば階段利用者がハンドレール４１を握り易く、安全に階段３を昇降することができる。またハンドレール部４ａは、差込棒４２ｂを図８に示す手摺子４ｂの上端部に形成される差込穴４３に挿入して差込棒４２ｂを図外のボルトで固定することにより、手摺子４ｂに固定することができる。なお、差込棒４２ｂ同士の間隔は、手摺子４ｂ同士の間隔と略同一に形成される。
【００２４】
閉塞部材５は、図７に示すように、ハンドレール４１と床見切り材Ｆ１との間の隙間を閉塞する細長な部材であり、図４及び図５に示すように、階段３側の側面５１の長手方向略中央に形成され、ハンドレール４１の側方を嵌め込むために曲面状に形成された座掘溝５２と、この座掘溝５２を挟んで形成され、板厚方向へ貫通する一対の孔５３と、を有している。座掘溝５２は、階段勾配に沿って斜め方向に延びる溝で、溝の略中央に閉塞部材５をハンドレール４１に固定するビスを挿入するための第１ビス孔５２ａを形成している。なお、座掘溝５２の幅は、ハンドレール４１の座掘溝５２に嵌め込まれる部分の幅よりも数ｍｍ程度大きく、このように座掘溝５２の幅に余裕を持たせることで、他の異なる幅のハンドレール４１や異なる階段勾配の階段３に設置されるハンドレール４１にも多少対応することができる。また一対の孔５３は、側面５１側に形成される座掘穴５３ａと、座掘穴５３ａよりも上階の床構造体Ｆ側に形成され、座掘穴５３ａよりも孔径の小さい第２ビス孔５３ｂと、を具備している。
【００２５】
また、図４に示すように、閉塞部材５は、長手方向の両端面である第１端面５４ａ、及び第２端面５４ｂを上下面に対して左右対称に傾斜させており、図７に示すように、閉塞部材５をハンドレール４１と床見切り材Ｆ１との間に設置した場合に、階段３の昇り口側を向く第１端面５４ａの階段勾配に対する角度θが直角となるように形成されている。なお、図示例では角度θを直角としているが、角度θを階段３の昇り口側から見て階段勾配に対し鈍角となるように第１端面５４ａを形成してもよい。第１端面５４ａをこのような角度とすることで、ハンドレール４１を把持して階段３を上る階段利用者の手指が閉塞部材５に触れたとしても、手指が閉塞部材５の角に当たって怪我をすることを防止することができる。
【００２６】
そして、図４及び図６に示すように、閉塞部材５は、閉塞部材５をハンドレール４１と床見切り材Ｆ１との間に設置した場合に、長手方向の両端部５５、５５が床見切り材Ｆ１側に段差を形成しないように面取りされている。このように端部５５を面取りすることによって、面取りをしない場合と比較して端部５５が目立たず、閉塞部材５を違和感なく床見切り材Ｆ１に馴染ませることができる。なお、端部５５の面取り形状は図示例で示す平面の他に曲面としてもよい。また、閉塞部材５の座掘溝５２部分の板厚ｔ１は、床見切り材Ｆ１とハンドレール４１との間に隙間を形成しないようにするために、図５に示す第２距離Ｌ２と略同一に形成されている。
【００２７】
次に階段の指詰め防止構造１を用いて、ハンドレール４１と、床見切り材Ｆ１と、の交差部に形成される隙間を閉塞する階段の指詰め防止構造施工方法について説明する。まず、図３に示すように、手摺子４ｂを一定間隔を開けて踏み板３１に立設して階段３に固定し、閉塞部材５の取付け位置をレール下地材４２を覆うハンドレール４１や床見切り材Ｆ１に墨出する。なおこのとき、図８に示すように、手摺子４ｂの床見切り材Ｆ１と当接する部分は、手摺り４の振動を防止するために床見切り材Ｆ１にビス６０で固定される。
【００２８】
そして図８に示すように、閉塞部材５を水平にした状態でハンドレール４１の側方に閉塞部材５の座掘溝５２を嵌め込み、閉塞部材５の床見切り材Ｆ１側の側面から、第１孔ビス孔５２ａにビス６を挿入し、電動ドリルなどの締付工具で閉塞部材５をハンドレール４１に固定する。このとき、閉塞部材５は、階段３の昇り口側の第１端面５４ａが階段勾配に対して直角となるように形成されているので、ハンドレール４１の延出する方向に対して直交することになる。また先述したように、座掘溝５２は階段勾配に沿って斜めに延びているので、ハンドレール４１に対して閉塞部材５の位置決めを容易に行うことができ、また、ハンドレール４１の外形状に合わせて形成されるので、仮にハンドレール４１の外形状が曲面であったとしても床見切り材Ｆ１との間に隙間を形成せずに閉塞部材５を固定することができる。
【００２９】
次に、図８及び図９に示すように、レール下地材４２の差込棒４２ｂを手摺子４ｂの上端に形成された差込穴４３に差し込んで図外のボルトで固定し、階段３側から図４に示す閉塞部材５の一対の第２ビス孔５３ｂにビス６を挿入して締付工具で閉塞部材５を床見切り材Ｆ１にビス固定する。そして最後に、第２ビス孔５３ｂに挿入されたビス６のビス頭を隠蔽するための図７等に示す栓７を木槌などで叩き込みながら座掘穴５３ａに嵌め込んで階段の指詰め防止構造１を完成させ、図３に示すように、面材４ｃを手摺子４ｂ間に図外のボルトで固定して手摺り４の設置を終える。
【００３０】
このように、ハンドレール４１と床見切り材Ｆ１との交差部に形成される隙間を閉塞部材５で閉塞すると、ハンドレール４１を把持しながら階段３を昇降する階段利用者が、手指をハンドレール４１と床見切り材Ｆ１との間に挟み込む事故を防止することができる。また、閉塞部材５の第１端面５４ａを階段勾配に対して直角となるように形成しているので、ハンドレール４１を把持して階段３を昇る際に閉塞部材５の角に手指が当たって怪我をすることはない。
【００３１】
なお、手摺り４を階段３に設置した後に閉塞部材５を取付けたい場合は、レール下地材４２の差込棒４２ｂを手摺子４ｂから外し、上述の手順で閉塞部材５をハンドレール４１に装着してから再びレール下地４２を手摺子４ｂに固定するだけでよい。このように、ハンドレール４１及び手摺子４ｂが別部材となっているので、手摺り４を施工した後に閉塞部材５を新たに設置したり、別の閉塞部材５に取り替えたりすることができ、メンテナンス性を向上させることができる。
【００３２】
さらに、階段３に立設する手摺り４は、閉塞部材５を介して床見切り材Ｆ１に固定されるので、階段３や手摺り４の振動を防止するとともに、設置強度を増すことができる。また、閉塞部材５は木製で形成されるので、加工が容易であるとともに従来使用されていたスポンジ状の部材よりも劣化しにくく、また、塗装を施せば外観を階段３又は床見切り材Ｆ１に合わせることができ、階段３や床見切り材Ｆ１の意匠性を損なうことが無い。そして、木製で形成される閉塞部材５や栓７の樹種や色味を床見切り材Ｆ１のものと併せれば、より違和感無くハンドレール４１と床見切り材Ｆ１との間に閉塞部材５を設置することができる。なお、本実施形態では床見切り材Ｆ１とハンドレール４１との交差部に形成される隙間を閉塞しているが、例えば、第１壁面Ｗ１に設置される立体的なモール状の装飾材とハンドレール４１との間を閉塞するものであってもよい。
【００３３】
本発明の実施の形態は上述の形態に限ることなく、本発明の思想の範囲を逸脱しない範囲で適宜変更することができる。
【産業上の利用可能性】
【００３４】
本発明に係る階段の指詰め防止構造は、階段の設置される吹抜け開口部に面して設置される上階の床見切り材と、階段に設置される手摺りのハンドレールと、の交差部に形成される隙間を埋める場合に好適に使用することができる。
【符号の説明】
【００３５】
１        階段の指詰め防止構造
２        吹抜け開口
３        階段
４        手摺り
４１      ハンドレール
４２      レール下地材
５        閉塞部材
５１      側面
５２      座掘溝
Ｆ１      床見切り材（突起物）
Ｆ２      床仕上げ材
【図１】
2020023810.tif 000003
【図２】
2020023810.tif 000004
【図３】
2020023810.tif 000005
【図４】
2020023810.tif 000006
【図５】
2020023810.tif 000007
【図６】
2020023810.tif 000008
【図７】
2020023810.tif 000009
【図８】
2020023810.tif 000010
【図９】
2020023810.tif 000011
【手続補正書】
【提出日】令和1年11月20日(2019.11.20)
【手続補正１】
【補正対象書類名】特許請求の範囲
【補正対象項目名】請求項６
【補正方法】変更
【補正の内容】
【請求項６】
請求項１から請求項５のいずれかに記載の階段の指詰め防止構造の施工方法であって、
前記手摺りの手摺子を前記階段に固定し、
前記閉塞部材の設置位置を墨出した前記ハンドレールの側方に合わせて前記座堀溝を嵌め込み、前記閉塞部材を当該ハンドレールに固定して、
前記ハンドレールを支持するレール下地材を前記手摺子に固定してから前記閉塞部材を前記突起物にビス固定することを特徴とする階段の指詰め防止構造の施工方法。
【手続補正３】
【補正対象書類名】明細書
【補正対象項目名】００１１
【補正方法】変更
【補正の内容】
【００１１】
本発明の階段の指詰め防止構造の施工方法は、第１から第５のいずれかに記載の階段の指詰め防止構造の施工方法であって、前記手摺りの手摺子を前記階段に固定し、前記閉塞部材の設置位置を墨出した前記ハンドレールの側方に合わせて前記座堀溝を嵌め込み、前記閉塞部材を当該ハンドレールに固定して、前記ハンドレールを支持するレール下地材を前記手摺子に固定してから前記閉塞部材を前記突起物にビス固定することを特徴としている。
【手続補正４】
【補正対象書類名】明細書
【補正対象項目名】００１７
【補正方法】変更
【補正の内容】
【００１７】
本発明の階段の指詰め防止構造の施工方法によると、閉塞部材をハンドレールに固定してからハンドレールを支持するレール下地材を手摺子に固定するので、容易にハンドレールと手摺子との間の隙間を閉塞部材で塞ぐことができ、施工性を向上させることができる。また、ハンドレールと手摺子は別部材となっているので、ハンドレールを支持するレール下地材を外すだけで閉塞部材を新たなものに取り替えたり閉塞部材を新たに設置したりすることができ、メンテナンス性を向上させることができる。
【手続補正５】
【補正対象書類名】明細書
【補正対象項目名】００２７
【補正方法】変更
【補正の内容】
【００２７】
次に階段の指詰め防止構造１を用いて、ハンドレール４１と、床見切り材Ｆ１と、の交差部に形成される隙間を閉塞する階段の指詰め防止構造の施工方法について説明する。まず、図３に示すように、手摺子４ｂを一定間隔を開けて踏み板３１に立設して階段３に固定し、閉塞部材５の取付け位置をレール下地材４２を覆うハンドレール４１や床見切り材Ｆ１に墨出する。なおこのとき、図８に示すように、手摺子４ｂの床見切り材Ｆ１と当接する部分は、手摺り４の振動を防止するために床見切り材Ｆ１にビス６０で固定される。